(57)【要約】【課題】リップ付きＺ形の断面形状を有する枠材を簡単・確実に連結することのできる点検口枠体の連結構造を提案する。【解決手段】本発明の連結構造は、直立するウェブ１１、ウェブ１１の下縁部から外側に張り出す下フランジ１２、下フランジ１２の縁部から起立する下リップ１３、ウェブ１１の上縁部から内側に張り出す上フランジ１４、上フランジ１４の縁部から垂下する上リップ１５を有する枠材１に、平面視Ｌ字形に折曲されたコーナーガイド２１、その下縁部から外側に張り出す下ガイド片２２、下ガイド片２２の外縁部を折り上げてなる下ガイドリップ２３、コーナーガイド２１の上縁部から内側に張り出す上ガイド片２４、上ガイド片２４の内縁部を折り下げてなる上ガイドリップ２５を具備したコーナーピース２を、コーナーの外側から装着して両枠材１を連結するものである。【選択図】図６
2005090002.tif 000002
【特許請求の範囲】
【請求項１】
点検口枠体の四辺を構成する枠材を、その端面が上面視４５度になるようにカットしてコーナーで突き合わせ、該コーナーにコーナーピースを取り付けて枠材同士を連結する点検口枠体のコーナー連結構造であって、
上記枠材は、直立するウェブと、ウェブの下縁部から枠体の外側に向かって水平に張り出す下フランジと、下フランジの縁部から起立する下リップと、ウェブの上縁部から枠体の内側に向かって水平に張り出す上フランジと、上フランジの縁部から垂下する上リップとからなる断面形状を有し、
上記コーナーピースは、直立する二枚の翼片が平面視Ｌ字形に連続するコーナーガイドと、コーナーガイドの下縁部からコーナーの外側に向かって水平に張り出す下ガイド片と、下ガイド片の外縁部をコーナーと平行な上面視Ｌ字形になるように折り上げて形成された下ガイドリップと、コーナーガイドの上縁部からコーナーの内側に向かって水平に張り出す上ガイド片と、上ガイド片の内縁部をコーナーと平行な上面視Ｌ字形になるように折り下げて形成された上ガイドリップとを有し、
二本の枠材を突き合わせたコーナーの外側から上記コーナーピースを両枠材に装着して、コーナーガイドを両枠材のウェブに当てがい、下ガイド片及び下ガイドリップを両枠材の下フランジの上面及び下リップの内側にそれぞれ重合させるとともに、上ガイド片及び上ガイドリップを両枠材の上フランジの上面及び上リップの内面に被せ、この状態で上記コーナーピースと各枠材とをスポット溶接することにより、コーナーピースを介して両枠材が連結されることを特徴とする点検口枠体のコーナー連結構造。
【請求項２】
点検口枠体の四辺を構成する枠材を、その端面が上面視４５度になるようにカットしてコーナーで突き合わせ連結するコーナーピースであって、
直立する二枚の翼片が平面視Ｌ字形に連続するコーナーガイドと、コーナーガイドの下縁部からコーナーの外側に向かって水平に張り出す下ガイド片と、下ガイド片の外縁部をコーナーと平行な上面視Ｌ字形になるように折り上げて形成された下ガイドリップと、コーナーガイドの上縁部からコーナーの内側に向かって水平に張り出す上ガイド片と、上ガイド片の内縁部をコーナーと平行な上面視Ｌ字形になるように折り下げて形成された上ガイドリップとを備えることを特徴とするコーナーピース。
【発明の詳細な説明】
【技術分野】
【０００１】
本発明は、天井裏の配管や配線を点検・補修するために天井に設けられる点検口において、点検口の枠体をコーナー部で連結する構造と、該連結構造を実施するためのコーナーピースに関する。
【背景技術】
【０００２】
点検口の枠体を矩形に連結する技術として、例えば特許文献１〜７等に記載の技術が提案されている。これらは、枠体の四辺を構成する枠材を、コーナー部で４５度の留め継ぎとなるように突き合わせ、略Ｌ字形のコーナーピースを介して連結するものである。これらの文献に記載された技術は全て、例えば特許文献１の第３図（本明細書添付の図８）に示すように、枠材９の側壁部（直立するウェブ）９１の上下両縁部から側方にフランジ９２やリブ９３，９４を張り出して、これらフランジ９２又はリブ９３，９４を断面溝形又は鉤形に成形し、これら上下の溝部９５や鉤部９６を対向させて形成される間隙部分にコーナーピース９７を嵌め込む、という共通の構成を有している。
【０００３】
したがって、枠材９の内側面か外側面のうち、少なくともいずれか一方には、上下で対をなす溝部９５や鉤部９６を設ける必要がある。このような事情から、各文献記載の枠材９には、アルミ合金製の押し出し型材が利用されている。
【０００４】
また、上記各文献記載の枠体連結構造では、枠材９の間隙部分に嵌め込まれるコーナーピース９７を枠材９に対して確実に固定するために、ピン、突起、爪、穴、切欠等を利用した係合手段９８が採用されている、そのため、枠材９の端部近傍には、上記のような係合手段に応じた適宜の部材加工が施される。
【特許文献１】特公昭５９−３１６２３号公報
【特許文献２】特公昭６２−２７２２２号公報
【特許文献３】実公平２−４０６７６号公報
【特許文献４】実公平３−２２９７７号公報
【特許文献５】特公平３−３３８７６号公報
【特許文献６】特公平７−４２８００号公報
【特許文献７】特許第２８７２９６９号公報
【発明の開示】
【発明が解決しようとする課題】
【０００５】
本出願人は、枠体のコストダウンを図るため、枠材に、上記のようなアルミ押し出し型材ではなく、折曲加工した鋼材を利用している。この枠材は、一枚の平板を折曲して、図１に示すような所謂リップ付きＺ形の断面形状に成形したものである。したがって、このような枠材には、上記従来の技術にあるような上下で対向する鉤部や溝部を設けることができず、略Ｌ字形のコーナーピースも利用できない。
【０００６】
また、枠材の連結に際して、枠材の端部近傍に突起や穴、爪等の係合手段を加工するのも、手間やコストの面で不経済である。
【０００７】
本発明は上記のような事情に鑑みてなされたもので、図１に示すような断面形状の枠材を簡単・確実に連結すべく、新規な形状のコーナーピースを開発し、これを利用して、経済性に優れた点検口枠体の連結構造を提案するものである。
【課題を解決するための手段】
【０００８】
上記した目的を達成するため、本発明の点検口枠体のコーナー連結構造は、点検口枠体の四辺を構成する枠材を、その端面が上面視４５度になるようにカットしてコーナーで突き合わせ、該コーナーにコーナーピースを取り付けて枠材同士を連結する点検口枠体のコーナー連結構造であって、上記枠材は、直立するウェブと、ウェブの下縁部から枠体の外側に向かって水平に張り出す下フランジと、下フランジの縁部から起立する下リップと、ウェブの上縁部から枠体の内側に向かって水平に張り出す上フランジと、上フランジの縁部から垂下する上リップとからなる断面形状を有し、上記コーナーピースは、直立する二枚の翼片が平面視Ｌ字形に連続するコーナーガイドと、コーナーガイドの下縁部からコーナーの外側に向かって水平に張り出す下ガイド片と、下ガイド片の外縁部をコーナーと平行な上面視Ｌ字形になるように折り上げて形成された下ガイドリップと、コーナーガイドの上縁部からコーナーの内側に向かって水平に張り出す上ガイド片と、上ガイド片の内縁部をコーナーと平行な上面視Ｌ字形になるように折り下げて形成された上ガイドリップとを有し、二本の枠材を突き合わせたコーナーの外側から上記コーナーピースを両枠材に装着して、コーナーガイドを両枠材のウェブに当てがい、下ガイド片及び下ガイドリップを両枠材の下フランジの上面及び下リップの内側にそれぞれ重合させるとともに、上ガイド片及び上ガイドリップを両枠材の上フランジの上面及び上リップの内面に被せ、この状態で上記コーナーピースと各枠材とをスポット溶接することにより、コーナーピースを介して両枠材が連結されることを特徴とする。
【０００９】
また、本発明のコーナーピースは、直立する二枚の翼片が平面視Ｌ字形に連続するコーナーガイドと、コーナーガイドの下縁部からコーナーの外側に向かって水平に張り出す下ガイド片と、下ガイド片の外縁部をコーナーと平行な上面視Ｌ字形になるように折り上げて形成された下ガイドリップと、コーナーガイドの上縁部からコーナーの内側に向かって水平に張り出す上ガイド片と、上ガイド片の内縁部をコーナーと平行な上面視Ｌ字形になるように折り下げて形成された上ガイドリップとを備えることを特徴とする。
【発明の効果】
【００１０】
上述のように構成される本発明のコーナー連結構造によれば、枠材が鋼板を折曲形成したものであって、上下で対向する鉤部や溝部を具備しない断面形状のものであっても、二本の枠材を突き合わせたコーナーの外側からコーナーピースを両枠材に装着することにより、両枠材の端面同士が精度良く留め継ぎの状態に保持されるので、枠材同士を効率的に連結することができる。枠材が鋼製であれば、固定手段は四箇所程度のスポット溶接で足り、枠材にピン、突起、爪、穴、切欠等の加工を施す手間もかからないので、きわめて経済的である。
【００１１】
また、本発明のコーナーピースによると、各コーナーにつき一個の部材だけで枠材同士を連結することができるので、連結作業を簡単かつ迅速に行うことができる。また、このコーナーピースは、短冊状の細長い鋼製平板をプレス及びカットして、経済的に製作することができる。
【発明を実施するための最良の形態】
【００１２】
以下、本発明の実施の形態について図を参照して説明する。
【００１３】
図１は、点検口枠体を構成する枠材１の断面形状を示す。この枠材１は、表面に防錆処理や塗膜処理などを施した鋼板を、所謂リップ付きＺ形の断面形状に折曲したもので、直立するウェブ１１と、ウェブ１１の下縁部から枠体の外側に向かって水平に張り出す下フランジ１２と、下フランジ１２の縁部から短く起立する下リップ１３と、ウェブ１１の上縁部から枠体の内側に向かって水平に張り出す上フランジ１４と、上フランジ１４の縁部から短く垂下する上リップ１５とを備えている。下フランジ１２の幅は、上フランジ１４の幅よりも大きくなるように形成されている。この枠材１は、図２に示すように、端部が上面視４５度にカットされ、枠体のコーナー部にて、隣辺の枠材１と突き合わせられる。
【００１４】
図３〜図４は、上記枠材１を連結するコーナーピース２を示す。このコーナーピース２も、表面に防錆処理等を施した鋼板からなるもので、成形方法については後述する。
【００１５】
コーナーピース２は、直立する二枚の翼片が平面視Ｌ字形に連続するコーナーガイド２１と、コーナーガイド２１の下縁部からコーナーの外側に向かって水平に張り出した下ガイド片２２と、下ガイド片２２の外縁部を、コーナーと平行な上面視Ｌ字形になるように短く折り上げて形成された下ガイドリップ２３と、コーナーガイド２１の上縁部からコーナーの内側に向かって水平に張り出した上ガイド片２４と、上ガイド片２４の内縁部を、コーナーと平行な上面視Ｌ字形になるように短く折り下げて形成された上ガイドリップ２５とを備えている。
【００１６】
このコーナーピース２は、図５〜図６に示すように、二本の枠材１を突き合わせたコーナーの外側から、両枠材１の端部近傍に装着される。コーナーガイド２１は両枠材１のウェブ１１に当てがわれ、下ガイド片２２が両枠材１の下フランジ１２の上面に重合され、上ガイド片２４が両枠材１の上フランジ１４に被せられる。図６に示すように、コーナーガイド２１の高さは枠体のウェブ１１の高さと等しく、下ガイド片２２の張り出し幅は枠体のウェブ１１と下リップ１３との間にちょうど収まる寸法に、また、上ガイド片２４の張り出し幅は枠体のウェブ１１から上リップ１５までをちょうど覆う寸法に、それぞれ形成されている。したがって、このコーナーピース２をコーナーに装着すると、両枠材１の側方へのずれが拘束されて、両枠材１の端面同士が留め継ぎの状態に精度良く保持されることとなる。
【００１７】
そして、この状態を保持したまま、コーナーピース２と各枠材１とを固定することにより、点検口枠体が組み立てられる。固定方法としては、枠材１及びコーナーピース２が鋼材であることから、スポット溶接が簡便かつ確実である。溶接箇所は、コーナーピース２と枠材１との重合部であれば特に限定されないが、コーナーピース２の下ガイド片２２と各枠材１の下フランジ１２との重合箇所二点、及びコーナーピース２の上ガイド片２４と各枠材１の上フランジ１４との重合箇所二点、の計四点（図５に示した×印の箇所）で足りる。これらの箇所であれば、溶接作業もしやすく、かつ確実に両枠材１が固定される。また、枠材１にピン、突起、爪、穴、切欠等の加工を施す手間が必要ないので、きわめて経済的である。
【００１８】
コーナーピース２は、図７に示すように、短冊状の細長い鋼製平板２０をプレス加工して製作することができる。適宜の幅の平板２０を、（ａ）図に示す二点鎖線の箇所で山形及び谷形にプレスすると、山谷間が引き延ばされつつ若干縮幅して、コーナーガイド２１になる部分が成形される。例示の形態では、一枚の平板２０から、背中合わせにして二個のコーナーピース２を成形している。そして、（ｂ）図に示す破線の箇所で下ガイド片２２及び上ガイド片２４になる部分をカットし、各ガイド片の縁部を折り返して、下ガイドリップ２３及び上ガイドリップ２５を成形する。（ｂ）図において上ガイド片２４の中央に示した破線の○印は、上ガイドリップ２５を折曲しやすくするための加工穴である。こうして、コーナーピース２自体も経済的に製作することができる。
【図面の簡単な説明】
【００１９】
【図１】本発明が適用される枠材の断面形状を示す破断斜視図である。
【図２】上記枠材の連結状態を示す上面図である。
【図３】本発明のコーナーピースの形態を示す斜視図であり、（ａ）はコーナーの外側から見た図、（ｂ）はコーナーのうち側から見た図である。
【図４】本発明のコーナーピースの形態を示す図であり、（ａ）は上面図、（ｂ）は側面図である。
【図５】本発明の連結構造を、コーナーの外側から見て示した斜視図である。
【図６】本発明の連結構造を、枠材の一方を切断して示した断面図である。
【図７】本発明のコーナーピースの加工方法を示す斜視図であり、（ａ）はプレス成形前、（ｂ）プレス成形後の状態を示す図である。
【図８】従来の点検口枠体の連結構造を示す断面図である。
【符号の説明】
【００２０】
１    枠材
１１  ウェブ
１２  下フランジ
１３  下リップ
１４  上フランジ
１５  上リップ
２    コーナーピース
２１  コーナーガイド
２２  下ガイド片
２３  下ガイドリップ
２４  上ガイド片
２５  上ガイドリップ
【図１】
2005090002.tif 000003
【図２】
2005090002.tif 000004
【図３】
2005090002.tif 000005
【図４】
2005090002.tif 000006
【図５】
2005090002.tif 000007
【図６】
2005090002.tif 000008
【図７】
2005090002.tif 000009
【図８】
2005090002.tif 000010